(57)【要約】【課題】実際に形成された画像に対応した課金処理などを行わせることのできる画像処理装置及びプログラムを提供する。【解決手段】形成処理の対象となる画像情報を受け入れ、形成先の媒体上で、画像が形成可能な領域を表わす情報に基づいて、受け入れた画像情報に対する画像処理を行い、形成用画像を生成し、当該生成した形成用画像の形成にあたり、黒色以外の色が利用されるか否かを判断する。そして当該判断の結果に基づいて、生成した形成用画像の形成指示を生成して出力する画像処理装置である。【選択図】図１
2008141650.tif 000002
【特許請求の範囲】
【請求項１】
形成処理の対象となる画像情報を受け入れる手段と、
指定された、形成先の媒体上で、画像が形成可能な領域を表わす情報に基づいて、前記受け入れた画像情報に対する画像処理を行い、前記画像情報に対応する画像の部分画像である形成用画像を生成する生成手段と、
前記形成用画像の形成に黒色以外の色が利用されるか否かを判断する手段と、
前記判断の結果に基づいて、前記生成した形成用画像の形成指示を生成して出力する手段と、
を含むことを特徴とする画像処理装置。
【請求項２】
前記生成手段は、指定された合成用画像を、前記受け入れた画像情報の表わす画像に合成する画像処理を実行することを特徴とする請求項１に記載の画像処理装置。
【請求項３】
形成処理の対象となる画像情報を受け入れる手段と、
指定された合成用画像に対して、指定された画像処理を実行する手段と、
前記画像情報の形成先となる媒体上で、画像が形成可能な領域を表わす情報と、前記画像処理された合成用画像の情報と、に基づいて、前記合成用画像に含まれる有意な画像部分が前記領域に形成されるか否かを判断する手段と、
前記判断の結果に基づいて、前記生成した形成用画像の形成指示を生成して出力する手段と、
を含むことを特徴とする画像処理装置。
【請求項４】
形成処理の対象となる画像情報を受け入れる手段と、
指定された合成用画像に対して、指定された画像処理を実行する手段と、
前記画像情報の形成先となる媒体上で、画像が形成可能な領域を表わす情報と、前記画像処理された合成用画像の情報と、に基づいて、前記合成用画像に含まれる有意な画像部分が前記領域に形成されるか否かを判断する手段と、
前記判断の結果に基づいて、前記生成した形成用画像の形成指示を生成して出力する出力手段と、
前記形成用画像を媒体に形成する画像形成手段と、
前記出力手段の出力した形成指示に基づき前記画像形成手段の動作を単色画像形成動作か多色画像形成動作か切り替える切替手段と、
を含むことを特徴とする画像形成システム。
【請求項５】
コンピュータに、
形成処理の対象となる画像情報を受け入れる手順と、
指定された、形成先の媒体上で、画像が形成可能な領域を表わす情報に基づいて、前記受け入れた画像情報に対する画像処理を行い、前記画像情報に対応する画像の部分画像である形成用画像を生成する手順と、
前記形成用画像の形成に黒色以外の色が利用されるか否かを判断する手順と、
前記判断の結果に基づいて、前記生成した形成用画像の形成指示を生成して出力する手順と、
を実行させることを特徴とするプログラム。
【発明の詳細な説明】
【技術分野】
【０００１】
本発明は、画像処理装置、画像形成システム及び画像処理プログラムに関する。
【背景技術】
【０００２】
画像形成処理を実行するときに課金を行うシステムがある。こうしたシステムでは、黒色のみを用いる白黒画像を形成する場合と、黒色以外の有彩色の色材を利用したカラー画像の形成をする場合とでは、課金額を異ならせているのが通常である。
【０００３】
なお、画像データが有彩でかつ中間調画素が所定数以上である場合に、当該画像データをカラー再生する技術がある（特許文献１）。
【特許文献１】特開２００２−２４７３９０号公報
【発明の開示】
【発明が解決しようとする課題】
【０００４】
上記実情の下、形成の結果である画像が白黒であるときには、白黒の場合の課金処理が行われることが好ましいが、元々の画像データに有彩色の色材を用いるべきカラーの画素が含まれていると、その後、画像の拡大処理やトリミング（画像データの一部を抽出して印刷する処理）などによって実際の形成には有彩色の色材が用いられていなくても、カラーの課金処理が行われてしまう場合もある。
【０００５】
本発明は上記実情に鑑みて為されたもので、実際に形成された画像に対応した課金処理などを行わせることのできる画像処理装置及びプログラムを提供することを、その目的の一つとする。
【課題を解決するための手段】
【０００６】
請求項１記載の発明は、画像処理装置であって、形成処理の対象となる画像情報を受け入れる手段と、指定された、形成先の媒体上で、画像が形成可能な領域を表わす情報に基づいて、前記受け入れた画像情報に対する画像処理を行い、前記画像情報に対応する画像の部分画像である形成用画像を生成する生成手段と、前記形成用画像の形成に黒色以外の色が利用されるか否かを判断する手段と、前記判断の結果に基づいて、前記生成した形成用画像の形成指示を生成して出力する手段と、を含むこととしたものである。
【０００７】
請求項２記載の発明は、請求項１に記載の画像処理装置であって、前記生成手段は、指定された合成用画像を、前記受け入れた画像情報の表わす画像に合成する画像処理を実行することとしたものである。
【０００８】
請求項３記載の発明は、画像処理装置であって、形成処理の対象となる画像情報を受け入れる手段と、指定された合成用画像に対して、指定された画像処理を実行する手段と、前記画像情報の形成先となる媒体上で、画像が形成可能な領域を表わす情報と、前記画像処理された合成用画像の情報と、に基づいて、前記合成用画像に含まれる有意な画像部分が前記領域に形成されるか否かを判断する手段と、前記判断の結果に基づいて、前記生成した形成用画像の形成指示を生成して出力する手段と、を含むこととしたものである。
【０００９】
請求項４記載の発明は、画像形成システムであって、形成処理の対象となる画像情報を受け入れる手段と、指定された合成用画像に対して、指定された画像処理を実行する手段と、前記画像情報の形成先となる媒体上で、画像が形成可能な領域を表わす情報と、前記画像処理された合成用画像の情報と、に基づいて、前記合成用画像に含まれる有意な画像部分が前記領域に形成されるか否かを判断する手段と、前記判断の結果に基づいて、前記生成した形成用画像の形成指示を生成して出力する出力手段と、前記形成用画像を媒体に形成する画像形成手段と、前記出力手段の出力した形成指示に基づき前記画像形成手段の動作を単色画像形成動作か多色画像形成動作か切り替える切替手段と、を含むことを特徴としている。
【００１０】
請求項５記載の発明は、プログラムであって、コンピュータに、形成処理の対象となる画像情報を受け入れる手順と、指定された、形成先の媒体上で、画像が形成可能な領域を表わす情報に基づいて、前記受け入れた画像情報に対する画像処理を行い、前記画像情報に対応する画像の部分画像である形成用画像を生成する手順と、前記形成用画像の形成に黒色以外の色が利用されるか否かを判断する手順と、前記判断の結果に基づいて、前記生成した形成用画像の形成指示を生成して出力する手順と、を実行させることとしたものである。
【発明の効果】
【００１１】
請求項１または５記載の発明によると、実際に形成される画像に対応した課金処理などを行わせることができる。
【００１２】
請求項２、３または４記載の発明によると、合成用の画像にカラー画素が含まれていても、実際に形成される画像に対応した課金処理などを行わせることができる。
【発明を実施するための最良の形態】
【００１３】
本発明の実施の形態について図面を参照しながら説明する。本発明の実施の形態の画像処理システムは、図１に示すように、画像処理装置１と、これに接続される画像形成装置２とを含んで構成される。また画像処理装置１は、制御部１１と、記憶部１２と、通信部１３とを含んで構成されている。
【００１４】
制御部１１は、ＣＰＵなどのプログラム制御デバイスであり、記憶部１２に格納されたプログラムに従って動作する。本実施の形態の制御部１１は、実際に形成される画像にカラーの画素が含まれるか否かを判断して、カラー（多色）の画像形成指示と、白黒の画像形成指示とのいずれかを出力するものである。また、カラーの画像形成指示を出力したときには、カラー画像の出力回数を計数するカウンタを出力枚数分だけインクリメントする。また白黒の画像形成指示を出力したときには、白黒画像の出力回数を計数するカウンタを出力枚数分だけインクリメントする。この制御部１１の具体的な処理の内容は後に詳しく述べる。
【００１５】
記憶部１２は、ランダムアクセスメモリやハードディスクなどであり、制御部１１によって実行されるプログラムを保持する。このプログラムは、ＣＤ−ＲＯＭやＤＶＤ−ＲＯＭなどのコンピュータ可読な記憶媒体に格納された状態で提供されてもよいし、インターネットなどの通信手段を介して通信により提供されてもよい。またこの記憶部１２は、制御部１１のワークメモリとしても動作する。さらにこの記憶部１２は、カラー画像の出力回数を計数するカラー出力枚数カウンタと、白黒画像の出力回数を計数する白黒出力枚数カウンタとを保持している。
【００１６】
通信部１３は、ネットワークインタフェースなどであり、ネットワークなどの通信手段を介して、画像形成装置２との間で情報を送受する。
【００１７】
また、画像形成装置２は、プリンタなどであり、用紙などの媒体上に画像を形成するものである。この画像形成装置２は、画像処理装置１から入力される画像形成指示に基づいて、単色（例えば白黒）での画像形成動作と、多色での画像形成動作のどちらを行うかを定める。そして、単色での画像形成動作を行うと定めたときは、入力された画像形成指示に基づいて、所定の単色（例えば黒色）の色材を用いて、媒体上に画像を形成する。また、多色での画像形成動作を行うと定めたときは、入力された画像形成指示に基づいて、複数の色の色材を用いて媒体上に画像を形成する。
【００１８】
本実施の形態の画像処理装置１は、機能的に、図２に示すように、画像情報受入部２１と、初期判定部２２と、イメージ生成部２３と、二次判定部２４と、イメージ変換部２５と、形成指示生成部２６とを含んで構成される。これらは、制御部１１が記憶部１２に記憶されたプログラムに従って動作することによって実現される。
【００１９】
画像情報受入部２１は、形成の対象となる画像情報を、通信部１３を通じてクライアント装置から受け入れる。また、この画像情報受入部２１は、形成の指示をクライアント装置から受け入れる。ここで形成の指示には、画像情報を多色で印刷するか白黒で印刷するかの指示や、画像の拡大・縮小率など実行するべき画像処理のパラメータ、用紙サイズの指定などが含まれる。画像情報受入部２１は、ここで形成の指示に、白黒で印刷する指示が含まれている場合は、形成の対象となる画像情報と、白黒で印刷するべき旨の指示とをイメージ生成部２３に出力する。
【００２０】
またこの画像情報受入部２１は、形成の指示に、カラーで印刷する指示が含まれている場合は、画像情報を初期判定部２２に出力する。
【００２１】
初期判定部２２は、入力された画像情報に、有彩色の色材（黒色以外の色材）を用いて形成するべき部分が含まれているか否かを判断する。例えば、画像情報がポストスクリプト（登録商標）など、ページ記述言語で記述されているときには、色を指定する指示に、有彩色の色材が指定されており、かつ、当該色材を用いた描画指示が含まれているか否かを判断する。また、画像情報がビットマップデータなど、ラスタ画像である場合は、有彩色の画素が所定数以上（例えば１以上）含まれているか否かにより判断すればよい。初期判定部２２は、ここでの判定結果に基づき、有彩色の色材で形成するべき部分が含まれていると判断したときには、形成の対象となる画像情報と、カラーで印刷するべき旨の指示とをイメージ生成部２３に出力する。初期判定部２２は、ここでの判定結果に基づき、有彩色の色材で形成するべき部分が含まれていないと判断したときには、形成の対象となる画像情報と、白黒で印刷するべき旨の指示とをイメージ生成部２３に出力する。
【００２２】
イメージ生成部２３は、カラーで印刷するべき旨とともに、形成の対象となる画像情報が入力されると、当該入力された画像情報に対して、クライアント装置から指定された画像処理を実行する。また、画像処理後の画像情報から、用紙サイズなどの指定に基づいて用紙上の印刷可能領域に形成されるべき画像を生成する。
【００２３】
例えば図３に示すように、黒色の色材で形成するべき部分（Ｂ）と、有彩色の色材（カラー）で形成するべき部分（Ｃ）とが含まれるＡ４サイズの画像情報の入力を受けた場合、これをＡ４用紙に印刷する場合であって、拡大縮小率が１００％（つまり原寸通り）の指定がされている場合は、このイメージ生成部２３では、入力された画像情報が表す画像全体を生成することになる（Ｓ１）。
【００２４】
しかし、拡大率が１５０％で、印刷する用紙サイズがＡ４である場合は、拡大処理において、元の原稿（Ａ４サイズ大）が１．５倍に拡大される結果、Ａ４用紙に印刷される部分はその一部（Ｘ）となり、入力された画像情報が表す画像の一部を生成することになる（Ｓ２）。
【００２５】
さらに拡大率が２００％で、印刷する用紙サイズがＡ４である場合は、拡大処理において、元の原稿（Ａ４サイズ大）が２倍に拡大される結果、Ａ４用紙に印刷される部分はさらなる一部（Ｙ）となり、入力された画像情報が表す画像の一部（図３では白黒画像部分のみが含まれる一部）を生成することになる（Ｓ３）。
【００２６】
イメージ生成部２３は、カラーで印刷するべき旨とともに、形成の対象となる画像情報が入力されたときは、こうして生成した画像を二次判定部２４に出力する。
【００２７】
なお、このイメージ生成部２３は、白黒で印刷するべき旨とともに、形成の対象となる画像情報が入力されると、当該入力された画像情報に対して、クライアント装置から指定された画像処理を実行する。また、画像処理後の画像情報から、用紙サイズなどの指定に基づいて用紙上の印刷可能領域に形成されるべき画像を生成する。そして生成した画像を、イメージ変換部２５に出力する。
【００２８】
二次判定部２４は、このイメージ生成部２３が生成した画像に、有彩色の色材（黒色以外の色材）で形成するべき部分が含まれているか否かを判断する。この判断も、初期判定部２２における判断と同様に行うことができる。二次判定部２４は、ここでの判定結果に基づき、有彩色の色材で形成するべき部分が含まれていると判断したときには、入力された画像と、カラーで印刷を行うべき旨の指示とを、形成指示生成部２６に出力する。また二次判定部２４は、有彩色の色材で形成するべき部分が含まれていないと判断したときには、入力された画像をイメージ変換部２５に出力する。
【００２９】
イメージ変換部２５は、入力される画像を、白黒の画像に変換する。具体的な例として、入力される画像から有彩色を指定する指示に代えて、当該有彩色の明度に相当する黒色（グレイ）を指定する指示を含める。有彩色に基づいてグレイ濃度（明度）を定める方法は広く知られているので、ここでの詳細な説明を省略する。また、入力される画像がビットマップデータである場合は、入力される画像のうち、有彩色の画素について、当該有彩色の明度に相当する黒色（グレイ）の画素に置き換えたビットマップデータを生成する。イメージ変換部２５は、こうして生成した白黒の画像を、形成指示生成部２６に出力する。
【００３０】
形成指示生成部２６は、二次判定部２４から、カラーで印刷を行うべき旨の指示とともに画像が入力されると、画像形成装置２にて当該画像を形成するための指示（形成指示）を生成し、画像形成装置２へ送信する。この場合の形成指示は、カラーでの印刷を行わせるための指示となる。
【００３１】
また、この形成指示生成部２６は、イメージ変換部２５から画像が入力されると、画像形成装置２に対する形成指示を生成し、画像形成装置２へ送信する。この場合の形成指示は、白黒での印刷を行わせるための指示となる。
【００３２】
すなわち本実施の形態の画像処理装置１は、図４に示すように、画像情報と形成の指示とを、図示しないクライアント装置から受けると、カラーでの印刷が指定されているか否かを判断する（Ｓ１１）。ここで、カラーでの印刷が指定されている場合は、画像情報に有彩色で形成するべき部分が含まれているか（画像情報はカラーか否か）を判断する（Ｓ１２）。
【００３３】
ここで画像情報がカラーである場合は、当該画像情報に基づいて、カラーの画像を生成し（Ｓ１３）、画像の拡大縮小などの処理を行う（画像処理：Ｓ１４）。なお、この画像処理としては、既に説明した拡大縮小などの処理のほか、用紙上に形成する領域を抽出する処理（オフセット情報またはトリミングする領域を指定する情報に基づいて画像の一部を抽出する処理）を含んでもよい。
【００３４】
画像処理装置１は、ここで処理した後の画像に、有彩色で形成するべき部分が含まれているか（処理後の画像はカラーか否か）を判断する（Ｓ１５）。ここで処理後の画像がカラーであれば、カラーにて、当該処理後の画像を形成するべき旨の指示を生成し、画像形成装置２へ出力して（Ｓ１６）、処理を終了する。
【００３５】
また画像処理装置１は、処理Ｓ１５において、処理後の画像がカラーでなければ、処理後の画像を白黒画像に変換する処理を行い（Ｓ１７）、白黒にて、当該処理後の画像を形成するべき旨の指示を生成し、画像形成装置２へ出力して（Ｓ１８）、処理を終了する。
【００３６】
さらに、画像処理装置１は、処理Ｓ１１において白黒で形成するべき旨の指定がされているときには、当該画像情報に基づいて、白黒の画像を生成し（Ｓ１９）、画像の拡大縮小などの処理を行う（画像処理：Ｓ２０）。なお、この画像処理においても、拡大縮小などの処理のほか、用紙上に形成する領域を抽出する処理（オフセット情報またはトリミングする領域を指定する情報に基づいて画像の一部を抽出する処理）を含んでもよい。画像処理装置１は、この後、処理Ｓ１８に移行して処理を続ける。
【００３７】
さらに画像処理装置１は、処理Ｓ１２において、入力された画像情報が白黒の画像情報であったときにも、処理Ｓ１９に移行して処理を続ける。なお、この画像情報によって形成される画像が白黒であっても、カラーの指示が含まれている（実際の描画はされないが、色の指定のみが含まれているなど）場合は、処理Ｓ１９に移行する前に、画像情報を白黒へ変換する処理（色指定などを黒色によるグレイに変換する処理など）を行ってもよい。
【００３８】
このように本実施の形態の画像処理装置１では、形成の対象として入力された画像情報がカラーの画像情報であり、また、カラーで印刷するべき旨の指示を受けていたとしても、画像処理の結果、用紙上に、実際に形成される画像に有彩色で形成するべき部分が含まれていない場合には、白黒の画像が形成されることとなる。そしてこの場合には、画像処理装置１の制御部１１は、白黒画像の出力回数を計数する白黒出力枚数カウンタを出力枚数分だけインクリメントする。
【００３９】
またこの画像処理装置１は、実際に形成する画像に有彩色で形成するべき部分が含まれていれば、画像形成装置２に対して、カラーの画像を形成させることとなる。そしてこの場合には、画像処理装置１の制御部１１は、カラー画像の出力回数を計数するカラー出力枚数カウンタを出力枚数分だけインクリメントする。
【００４０】
なお、画像処理装置１は、白黒出力枚数カウンタのカウント値と、カラー出力枚数カウンタのカウント値とに基づいて、課金情報を算出してもよい。
【００４１】
さらに、図４に示した処理Ｓ１４において行った処理の内容によっては、処理Ｓ１５における処理をスキップして、処理Ｓ１６へ移行することとしてもよい。例えば、画像を縮小する処理のみが行われる（１００％以下への拡大縮小処理のみの）場合は、印刷するべき画像に必ず有彩色で形成するべき部分が含まれることとなるので、処理Ｓ１５での処理をスキップして処理Ｓ１６へ移行する。
【００４２】
このように、制御部１１は、処理Ｓ１４にて行った画像処理が、処理Ｓ１５をスキップ可能な処理として予め列挙された処理のみからなるか否かを判断し、そうである場合は、処理Ｓ１６へ移行して処理を続ければよい。また処理Ｓ１４にて行った画像処理が、処理Ｓ１５をスキップ可能な処理として予め列挙された処理のみでない場合は、制御部１１は、処理Ｓ１５に移行する。
【００４３】
［画像の合成］
また、ここで指定される画像処理は、ここまでに述べたような拡大縮小処理や、トリミングなどの処理に限られず、例えば他の画像（合成用画像と呼ぶ）を合成する処理であってもよい。
【００４４】
この場合、イメージ生成部２３は、カラーで印刷するべき旨が入力されていれば、形成の対象となる画像情報に合成用画像を合成する処理を含む画像処理を実行する。そして当該画像処理後の画像情報から、用紙サイズなどの指定に基づいて用紙上の印刷可能領域に形成されるべき画像を生成する。
【００４５】
またイメージ生成部２３は、白黒で印刷するべき旨とともに、合成用画像を合成するべき旨の指示が行われている場合は、当該合成用画像が有彩色で形成されるべき部分を含むか否かを判断する。そして、有彩色で形成されるべき部分を含む場合は、形成の対象となる画像情報に合成用画像を合成する処理を含む画像処理を実行し、当該画像処理後の画像情報から、用紙サイズなどの指定に基づいて用紙上の印刷可能領域に形成されるべき画像を生成してから、当該生成した画像を、カラーで印刷するべき旨とともに二次判定部２４に出力する。
【００４６】
また、白黒で印刷するべき場合において、合成用画像が有彩色で形成されるべき部分を含まないときは、形成の対象となる画像情報に合成用画像を合成する処理を含む画像処理を実行し、当該画像処理後の画像情報から、用紙サイズなどの指定に基づいて用紙上の印刷可能領域に形成されるべき画像を生成してから、当該生成した画像を、イメージ変換部２５に出力する。
【００４７】
なお、画像を合成する指示とともに、合成用画像の合成位置や、合成用画像の拡大・縮小処理が指定される場合もある。この場合において、指定を誤るなどの結果、合成用画像のうち、有意な画像部分（画素値が黒や有彩色など有意である部分）が、用紙上の印刷可能領域外に合成されてしまう場合もある。こうした場合は、イメージ生成部２３は、合成用画像について指定された画像処理を行う。また、形成の対象となった画像のうち、用紙上の印刷可能領域に形成される部分を特定する。そして、処理後の合成用画像のうちの有意な画像部分が、この特定された部分に合成されるか否かを判断する。
【００４８】
例えば、図５に示すように、画像情報に基づいて生成した画像に、「合格」のようなスタンプ画像を、合成用画像として合成する場合を想定する。このとき、「合格」の合成位置が、用紙上の画像の形成領域に含まれていれば（Ａ）、イメージ生成部２３は、形成の対象となる画像情報に合成用画像を合成する処理を含む画像処理を実行し、当該画像処理後の画像情報から、用紙サイズなどの指定に基づいて用紙上の印刷可能領域に形成されるべき画像を生成してから、当該生成した画像を、カラーで印刷するべき旨とともに二次判定部２４に出力する。
【００４９】
また、「合格」の合成位置が、用紙上の画像の形成領域に含まれていない場合（Ｂ）は、イメージ生成部２３は、形成の対象となる画像情報に合成用画像を合成する処理を行わずに（他の画像処理があれば当該画像処理は実行する）、当該画像処理後の画像情報から、用紙サイズなどの指定に基づいて用紙上の印刷可能領域に形成されるべき画像を生成することになる。
【００５０】
このように本実施の形態によると、白黒の画像に対して合成するべき合成用画像の合成位置が、用紙外の位置になってしまう場合、当該合成用画像がカラーであっても、実際に形成される画像は白黒となる。この場合にも、合成範囲が用紙外にあることの判断や、実際に形成される範囲の画像に有彩色で形成するべき部分が含まれないことの判断が行われることで、カラー出力枚数カウンタがインクリメントされてしまうことがない。すなわち、実際に形成された画像に対応した課金処理などを行わせることができる。
【図面の簡単な説明】
【００５１】
【図１】本発明の実施の形態に係る画像処理装置の構成及び接続例を表すブロック図である。
【図２】本発明の実施の形態に係る画像処理装置の例を表す機能ブロック図である。
【図３】本発明の実施の形態に係る画像処理装置における画像処理結果の例を表す説明図である。
【図４】本発明の実施の形態に係る画像処理装置の動作例を表すフローチャート図である。
【図５】本発明の実施の形態に係る画像処理装置での画像の合成の例を表す説明図である。
【符号の説明】
【００５２】
１  画像処理装置、２  画像形成装置、１１  制御部、１２  記憶部、１３  通信部、２１  画像情報受入部、２２  初期判定部、２３  イメージ生成部、２４  二次判定部、２５  イメージ変換部、２６  形成指示生成部。
【図１】
2008141650.tif 000003
【図２】
2008141650.tif 000004
【図３】
2008141650.tif 000005
【図４】
2008141650.tif 000006
【図５】
2008141650.tif 000007